(57)【要約】【課題】出力環境や経時変動などにより調節される露光量の設定を反映したプルーフ印刷を行う画像処理装置、画像形成装置、及びプログラムを提供することを目的とする。【解決手段】本発明は、画像形成装置から露光量とドットサイズとの関係を示す露光量情報を受信する受信手段と、上記受信された露光量情報を記憶する記憶手段と、プルーフ画像データを受け付ける受付手段と、上記受け付けられたプルーフ画像データを上記画像形成装置の出力解像度に変換する解像度変換手段と、上記記憶手段の上記露光量情報の露光量を正規化することにより、上記変換後の各画素位置の値と比較する露光量の比較パラメータを生成する生成手段と、上記比較パラメータとの比較によりドットサイズを決定するドットサイズ決定手段と、上記決定されたドットサイズの画素情報を含む出力データを上記画像形成装置に送信する送信手段と、を有することを特徴とする。【選択図】図３
2018019247.tif 000002
【特許請求の範囲】
【請求項１】
画像形成装置から露光量とドットサイズとの関係を示す露光量情報を受信する受信手段と、
前記受信手段により受信された前記露光量情報を記憶する記憶手段と、
プルーフ画像データを受け付ける受付手段と、
前記受付手段により受け付けられた前記プルーフ画像データを前記画像形成装置の出力解像度に変換する解像度変換手段と、
前記記憶手段により記憶されている前記露光量情報の露光量を正規化することにより、前記出力解像度への変換後の各画素位置の値と比較する露光量の比較パラメータを生成する生成手段と、
前記比較パラメータとの比較により前記各画素位置の値に対応するドットサイズを決定するドットサイズ決定手段と、
前記ドットサイズ決定手段により決定されたドットサイズの画素情報を含む出力データを前記画像形成装置に送信する送信手段と、
を有することを特徴とする画像処理装置。
【請求項２】
前記受信手段は、前記画像形成装置において露光量が更新される度に、更新された該露光量を示す情報を前記画像形成装置から前記露光量情報として受信する、
ことを特徴とする請求項１に記載の画像処理装置。
【請求項３】
前記受信手段は、トナー各色の露光量情報を受信し、
前記記憶手段は、前記受信手段により受信された前記トナー各色の露光量情報を記憶し、
前記受付手段は、前記プルーフ画像データとしてプロセスカラー別のプルーフ画像データを受け付け、
前記生成手段は、前記記憶手段により記憶されている前記露光量情報の露光量を前記プロセスカラー毎に正規化することにより、前記出力解像度への変換後の各画素位置の値と比較する露光量の比較パラメータを前記プロセスカラー毎に生成し、
前記ドットサイズ決定手段は、前記比較パラメータの内、前記受付手段により受け付けられたプルーフ画像データのプロセスカラーに対応する比較パラメータとの比較により前記各画素位置の値に対応するドットサイズを決定する、
ことを特徴とする請求項１に記載の画像処理装置。
【請求項４】
前記受信手段は、用紙の各種類の露光量情報を受信し、
前記記憶手段は、前記受信手段により受信された前記用紙の各種類の露光量情報を記憶し、
前記受付手段は、前記プルーフ画像データと出力用紙の種類を示す情報とを受け付け、
前記生成手段は、前記記憶手段により記憶されている前記露光量情報の露光量を前記出力用紙の種類毎に正規化することにより、前記出力解像度への変換後の各画素位置の値と比較する露光量の比較パラメータを前記出力用紙の種類毎に生成し、
前記ドットサイズ決定手段は、前記比較パラメータの内、前記受付手段により受け付けられた出力用紙の種類を示す情報に対応する比較パラメータとの比較により前記各画素位置の値に対応するドットサイズを決定する、
ことを特徴とする請求項１に記載の画像処理装置。
【請求項５】
前記解像度変換手段は、前記変換後の各画素位置の値として、変換元の単位画素領域の総画素数に対する画素値が１を占める画素数の比率を表す画素占有比率を対応付け、
前記生成手段は、前記正規化において、前記露光量情報の最大ドットサイズの露光量の値が前記画素占有比率の上限値になる値を、各ドットサイズの露光量の値に掛け合わせる、
ことを特徴とする請求項１に記載の画像処理装置。
【請求項６】
前記ドットサイズ決定手段は、前記掛け合わせにより得られた各ドットサイズの比率を示す情報を前記比較パラメータとして各ドットサイズの比率を示す情報を基準に前記各画素位置の値に対応するドットサイズを決定する、
ことを特徴とする請求項５に記載の画像処理装置。
【請求項７】
更に、
前記受付手段は、通常の画像データかプルーフ画像データかを判定する判定手段を有し、
前記受付手段により通常の画像データと判定された場合に通常の画像データを画像処理する通常画像処理手段を有し、
前記送信手段は、前記通常画像処理手段により画像処理された画像データを前記画像形成装置に送信する、
ことを特徴とする請求項１に記載の画像処理装置。
【請求項８】
自装置の露光量を調節する調節手段と、
前記調節手段により直近に調節された露光量とドットサイズとの関係を示す露光量情報を記憶する記憶手段と、
プルーフ画像データを受け付ける受付手段と、
前記受付手段により受け付けられた前記プルーフ画像データを自装置の出力解像度に変換する解像度変換手段と、
前記記憶手段により記憶されている前記露光量情報の露光量を正規化することにより、前記出力解像度への変換後の各画素位置の値と比較する露光量の比較パラメータを生成する生成手段と、
前記比較パラメータとの比較により前記各画素位置の値に対応するドットサイズを決定するドットサイズ決定手段と、
前記ドットサイズ決定手段により決定されたドットサイズの画像を形成する画像形成手段と、
を有することを特徴とする画像形成装置。
【請求項９】
記憶部を有する画像処理装置のコンピュータを、
画像形成装置から露光量とドットサイズとの関係を示す露光量情報を受信する受信手段と、
前記受信手段により受信された前記露光量情報を前記記憶部に記憶する記憶手段と、
プルーフ画像データを受け付ける受付手段と、
前記受付手段により受け付けられた前記プルーフ画像データを前記画像形成装置の出力解像度に変換する解像度変換手段と、
前記記憶部に記憶されている前記露光量情報の露光量を正規化することにより、前記出力解像度への変換後の各画素位置の値と比較する露光量の比較パラメータを生成する生成手段と、
前記比較パラメータとの比較により前記各画素位置の値に対応するドットサイズを決定するドットサイズ決定手段と、
前記ドットサイズ決定手段により決定されたドットサイズの画素情報を含む出力データを前記画像形成装置に送信する送信手段と、
して機能させるためのプログラム。
【請求項１０】
露光量の調節機能を有し、直近に調節された露光量とドットサイズとの関係を示す露光量情報を記憶部に記憶する画像形成装置のコンピュータを、
プルーフ画像データを受け付ける受付手段と、
前記受付手段により受け付けられた前記プルーフ画像データを自装置の出力解像度に変換する解像度変換手段と、
前記記憶手段により記憶されている前記露光量情報の露光量を正規化することにより、前記出力解像度への変換後の各画素位置の値と比較する露光量の比較パラメータを生成する生成手段と、
前記比較パラメータとの比較により前記各画素位置の値に対応するドットサイズを決定するドットサイズ決定手段と、
前記ドットサイズ決定手段により決定されたドットサイズの画像の形成を指示する画像形成指示手段と、
して機能させるためのプログラム。
【発明の詳細な説明】
【技術分野】
【０００１】
本発明は、画像処理装置、画像形成装置、及びプログラムに関する。
【背景技術】
【０００２】
従来、オフセット印刷の印刷工程において、刷版データを１枚辺りのコストが安い電子写真機により印刷してその色合いや画質を確認するプルーフ印刷という工程が存在する。電子写真機などでプルーフ印刷を行う場合は、網点や色合いなどの再現性を保つ工夫が必要で、それらの再現性を保つ技術を開示した文献もある。ある技術では、インクが印刷用紙に押圧されることにより生じるドットゲインを再現する目的で、プルーフ印刷の工程で各網点の面積率を補正し、補正後の露光量の光を感光材料に照射することにより潜像を形成する（特許文献１参照）。
【発明の概要】
【発明が解決しようとする課題】
【０００３】
一般にプリンタエンジンの濃度特性は、気温湿度といった環境や経時変動といった影響を大きく受ける。このため、プリンタエンジンは、朝一の起動時や大量印刷後などといった濃度特性の変動が大きくなるタイミングにおいて、作像に関わる露光量を調節し、目標の濃度特性に合わせるエンジン調整を行う。しかし、プリンタエンジンに設定されている露光量をドットゲインや色などの再現目的のために一意に変更してしまうと、出力環境や経時変動などにより調節される露光量の設定を反映できなくなり、色合いなどの再現性や画質の安定性などに影響が生じるという問題がある。
【０００４】
本発明は、上記に鑑みてなされたものであって、出力環境や経時変動などにより調節される露光量の設定を反映した再現性の高いプルーフ印刷を行う画像処理装置、画像形成装置、及びプログラムを提供することを目的とする。
【課題を解決するための手段】
【０００５】
上述した課題を解決し、目的を達成するために、本発明は、画像形成装置から露光量とドットサイズとの関係を示す露光量情報を受信する受信手段と、上記受信手段により受信された上記露光量情報を記憶する記憶手段と、プルーフ画像データを受け付ける受付手段と、上記受付手段により受け付けられた上記プルーフ画像データを上記画像形成装置の出力解像度に変換する解像度変換手段と、上記記憶手段により記憶されている上記露光量情報の露光量を正規化することにより、上記出力解像度への変換後の各画素位置の値と比較する露光量の比較パラメータを生成する生成手段と、上記比較パラメータとの比較により上記各画素位置の値に対応するドットサイズを決定するドットサイズ決定手段と、上記ドットサイズ決定手段により決定されたドットサイズの画素情報を含む出力データを上記画像形成装置に送信する送信手段と、を有することを特徴とする。
【発明の効果】
【０００６】
本発明によれば、出力環境や経時変動などにより調節された露光量の設定に基づいてプルーフ画像データの各網点のドットサイズを調節することができるため、出力環境や経時変動などにより調節される露光量の設定が反映されたままの再現性の高いプルーフ印刷物が得られるという効果を奏する。
【図面の簡単な説明】
【０００７】
【図１】図１は、第１の実施の形態に係る画像処理装置を含む画像生成システムの全体構成の一例を示す図である。
【図２】図２は、ＤＦＥのハードウエアブロックの一例を示す図である。
【図３】図３は、ＤＦＥの画像処理に係る主な機能の一例を示した機能ブロック図である。
【図４】図４は、露光量情報の一例を示す図である。
【図５】図５は、解像度変換部における処理の説明図である。
【図６】図６は、生成部における処理の説明図である。
【図７】図７は、ドットサイズ決定部における処理の説明図である。
【図８】図８は、プリンタが行うエンジン調整とＤＦＥにおける露光量情報の更新処理の関係とを示すシーケンスの一例を示す図である。
【図９】図９は、ＤＦＥが実行するプルーフ印刷に適した画像処理フローの一例を示す図である。
【図１０】図１０は、第２の実施の形態に係る画像形成装置を含む画像生成システムの全体構成の一例を示す図である。
【図１１】図１１は、ＭＦＰのハードウエアブロックの一例を示す図である。
【図１２】図１２は、ＭＦＰの主な機能の一例を示した機能ブロック図である。
【図１３】図１３は、ＭＦＰが実行するプルーフ印刷に適した画像処理フローの一例を示す図である。
【発明を実施するための形態】
【０００８】
以下に添付図面を参照して、画像処理装置、画像形成装置、及びプログラムの実施の形態を詳細に説明する。
【０００９】
（第１の実施の形態）
図１は、第１の実施の形態に係る画像処理装置を含む画像生成システムの全体構成の一例を示す図である。図１に示す画像生成システム１は、コンピュータ１０と、「画像処理装置」としてのＤＦＥ（Digital  Front  End）２０と、「画像形成装置」としてのプリンタ３０とを有する。
【００１０】
コンピュータ１０は、８ビットカラーの画像データなど、通常時に印刷される画像データをＤＦＥ２０に送信する例えば汎用ＰＣ（Personal  Computer）などのコンピュータである。上記の８ビットカラーの画像データは、「通常の画像データ」の一例である。本実施形態では、上記画像データの他に、プルーフ印刷工程において印刷されるプルーフ画像データＱを外部機器（例えばオフセット印刷機等）や可搬型記憶媒体などから読み取り、ＤＦＥ２０へのプルーフ画像データＱの送信も行う。なお、プルーフ画像データＱは、オフセット印刷機などの外部機器において色変換や網点などの処理が既に施されたカラー深度１ビットのＴＩＦＦ（Tagged  Image  File  Format）画像データである。本実施の形態では、プルーフ画像データＱを、Ｃ（Cyan）Ｍ（Magenta）Ｙ（Yellow）Ｋ（Black）の各刷版データであるものとして説明する。
【００１１】
ＤＦＥ２０は、各種の画像データを画像処理を行うなどしてプリンタ３０に送信する。例えば、ＤＦＥ２０は、コンピュータ１０から８ビットカラーの画像データを受信すると、当該画像データを色変換や中間調処理などのデータ処理を行ってプリンタ３０に出力する。また、ＤＦＥ２０は、コンピュータ１０からプルーフ画像データＱを受信すると、当該プルーフ画像データＱにプルーフ印刷に適した画像処理を行ってプリンタ３０に出力する。プルーフ印刷に適した画像処理において、ＤＦＥ２０は、プリンタ３０から露光量情報Ｒを受信し、その露光量情報Ｒに基づいてプルーフ画像データＱのドットサイズを決定する処理を行う。当該露光量情報Ｒは、プリンタ３０のＣＭＹＫ各色のドットサイズ毎の露光量を示す情報である。
【００１２】
第１の実施の形態の「画像形成装置」として示すプリンタ３０は、ＣＭＹＫ各色のトナーを有する電子写真方式の汎用プリンタである。プリンタ３０は、作像に関わる露光量の調節の度に、調節後の露光量を示す露光量情報ＲをＤＦＥ２０に送信する。プリンタ３０は、当該露光量の調節機能を有し、朝一の起動時や大量印刷後といったプリンタエンジンの濃度特性が大きく変動するタイミングにおいてエンジン調整を行って露光量を最適値に調節する。当該露光量を調節するタイミングとしては、この他に、電源をつけたまま長時間経過した後や、ユーザによる手動調節の指示があった後などが含まれる。プリンタ３０は、ＤＦＥ２０から送信された印刷データＴを、印刷データＴの受信時に調節されている露光量により印刷する。印刷データＴは、ＤＦＥ２０がプリンタ３０へ送信する「出力データ」の一例である。
【００１３】
以上に述べたプルーフ印刷に適した画像処理技術により、画像データの画像生成システム１においてプルーフ画像データＱのプリント出力も可能となる。
【００１４】
以下、プルーフ印刷に適した画像処理装置の構成及び画像処理の処理フローについてより詳しく説明する。
【００１５】
図２は、ＤＦＥ２０のハードウエアブロックの一例を示す図である。図２に示すＤＦＥ２０は、ＣＰＵ（Central  Processing  Unit）２００、ＲＯＭ（Read  Only  Memory）２０１、ＲＡＭ（Random  Access  Memory）２０２、ＨＤＤ（Hard  Disk  Drive）２０３、機器Ｉ／Ｆ２０４、第１の通信Ｉ／Ｆ２０５、及び第２の通信Ｉ／Ｆ２０６を有し、これらはバス２０９で互いに接続されている。また、機器Ｉ／Ｆ２０４には、ＬＣＤ（Liquid  Crystal  Display）２０７およびキーボード２０８が接続されている。
【００１６】
ＣＰＵ２００は中央処理装置であり、ＤＦＥ２０全体の動作を統括的に制御する。ＲＯＭ２０１は、固定のプログラムを格納する読出し専用の不揮発性記憶媒体である。ＲＡＭ２０２は、ＣＰＵ２００が情報を処理する際の作業領域に使用する読み書き自在の揮発性記憶媒体である。ＨＤＤ２０３は、各種のプログラムやデータを格納する読み書き自在の不揮発性記憶媒体である。ＨＤＤ２０３は、上記各種のプログラムとして、画像処理に係るプログラムなどを格納する。また、ＨＤＤ２０３は、プリンタ３０から送信された露光量情報Ｒ（図１参照）を格納する格納領域を設けている。
【００１７】
機器Ｉ／Ｆ２０４は、ＬＣＤ２０７およびキーボード２０８をバス２０９に接続するインタフェースである。
【００１８】
ＬＣＤ２０７は、ＣＰＵ２００が生成した情報を表示するための液晶表示ディスプレイである。
【００１９】
キーボード２０８は、押下されたキーのキー信号をＣＰＵ２００に通知する入力装置である。
【００２０】
第１の通信Ｉ／Ｆ２０５は、コンピュータ１０と通信するためのＲＳ２３２ＣやＵＳＢ（Universal  Serial  Bus）などの通信インタフェースである。
【００２１】
第２の通信Ｉ／Ｆ２０６は、プリンタ３０と通信するためのＲＳ２３２ＣやＵＳＢなどの通信インタフェースである。
【００２２】
次に、ＤＦＥ２０の機能構成について説明する。ＤＦＥ２０は、ＣＰＵ２００がＲＯＭ２０１やＨＤＤ２０３などの各種のプログラムをＲＡＭ２０２にロードして実行することにより、各種の機能を発揮する。
【００２３】
図３は、ＤＦＥ２０の画像処理に係る主な機能の一例を示した機能ブロック図である。図３に示すＤＦＥ２０は、画像処理に係る機能部として、第１の通信制御部２１や、第２の通信制御部２２や、記憶制御部２３や、操作受付部２４や、表示制御部２５や、画像判定部２６や、プルーフ用画像処理部２７や、通常画像処理部２８や、印刷データ送信指示部２９などを有する。
【００２４】
第１の通信制御部２１は、第１の通信Ｉ／Ｆ２０５を介してコンピュータ１０と通信を行い、コンピュータ１０から送信される各種の画像データを受け付ける。
【００２５】
第２の通信制御部２２は、第２の通信Ｉ／Ｆ２０６を介してプリンタ３０と通信を行い、プリンタ３０からの露光量情報Ｒの受付処理や、プリンタ３０への印刷データＴの送信処理などを行う。
【００２６】
記憶制御部２３は、ＲＯＭ２０１や、ＲＡＭ２０２や、ＨＤＤ２０３などにアクセスし、アクセスエリアに応じてプログラムやデータなどの書き込みや読み出しを指示する。
【００２７】
操作受付部２４は、キーボード２０８からの操作信号（キー信号等）を受け付ける。
【００２８】
表示制御部２５は、ＬＣＤ２０７の表示を制御する。
【００２９】
画像判定部２６は、第１の通信制御部２１が受け付けた画像データが通常の印刷用の画像データＰかプルーフ印刷用のプルーフ画像データＱかを判定する。
【００３０】
プルーフ用画像処理部２７は、第１の通信制御部２１が受信したプルーフ用画像データＱに対してプルーフ印刷に適した画像処理を行う。具体的には、プルーフ用画像処理部２７は、露光量情報更新指示部２７−１と、解像度変換部２７−２と、生成部２７−３と、ドットサイズ決定部２７−４とを有する。
【００３１】
露光量情報更新指示部２７−１は、第２の通信制御部２２が受け付けた最新の露光量情報ＲによるＨＤＤ２０３の露光量情報Ｒの更新を記憶制御部２３に指示する。
【００３２】
解像度変換部２７−２は、プルーフ画像データＱをプリンタ３０が有する出力解像度に変換する。
【００３３】
生成部２７−３は、ＨＤＤ２０３の露光量情報Ｒを正規化する。具体的には、生成部２７−３は、露光量情報読出指示部２７−３Ａと露光量比率情報生成部２７−３Ｂとを有する。露光量情報読出指示部２７−３Ａは、出力用紙種情報に指定されている出力用紙についての、ＨＤＤ２０３に格納されている露光量情報Ｒの読み出しを、記憶制御部２３に指示する。露光量比率情報生成部２７−３Ｂは、読み出された露光量情報Ｒを、解像度変換部２７−２による解像度変換後のプルーフ画像データの各画素位置の示す値との比較が可能なように正規化する。
【００３４】
ドットサイズ決定部２７−４は、解像度変換後のプルーフ画像データの各画素位置の示す値と、正規化後の露光量情報が示す、ドットサイズについての露光量の各値（「比較パラメータ」として利用する変換パラメータ）とを比較して、解像度変換後のプルーフ画像データの各画素位置のドットサイズを決定する。
【００３５】
通常画像処理部２８は、第１の通信制御部２１が受信した画像データＰに対して既存の画像処理を行う。例えば、通常画像処理部２８は、既存の画像処理を行う処理部として、色変換処理部２８−１や、総量規制部２８−２や、ガンマ変換部２８−３や、中間調処理部２８−４などを有する。
【００３６】
色変換処理部２８−１は、８ビットカラーの画像データＰを様々な入力形式からＣＭＹＫの８ビットカラーの画像データへと変換する。
【００３７】
総量規制部２８−２は、プリンタ３０の総量規制値に応じてＣＭＹＫの合計のトナー量が規制値を超えている画素に対して、トナー量を調整する。
【００３８】
ガンマ変換部２８−３は、ＣＭＹＫの濃度特性をプリンタ３０の濃度特性に合わせて修正する。
【００３９】
中間調処理部２８−４は、網点処理を施し、プリンタ３０のカラー深度に合わせた画像データを生成する。
【００４０】
印刷データ送信指示部２９は、第２の通信制御部２２にプリンタ３０への印刷データＴ（図１参照）の送信を指示する。この印刷データＴは、プルーフ画像処理部２７又は通常画像処理部２８の何れかの画像処理により生成された画像データをデータ部に格納し、印刷設定等のヘッダー情報等を付加したものである。
【００４１】
図４は、露光量情報Ｒ（図１参照）の一例を示す図である。図４には、一例として３種類の用紙のそれぞれの露光量情報を示している。図４（ａ）に示す露光量情報Ｒ１は、普通紙の露光量情報である。図４（ｂ）に示す露光量情報Ｒ２は、グロス紙の露光量情報である。図４（ｃ）に示す露光量情報Ｒ３は、マット紙の露光量情報である。
【００４２】
各露光量情報Ｒ１〜Ｒ３は、プリンタ３０のドットサイズを示すドットサイズ情報と、プリンタのトナー色（プロセスカラーに一致）を示すＣＭＹＫ情報とを、露光量を分類する情報として有する。ドットサイズ情報には、本例では、３／３ドット、２／３ドット、１／３ドットの３種類を有し、この内の３／３ドットが最も大きなドットサイズを表している。
【００４３】
各露光量情報Ｒ１〜Ｒ３には、ドットサイズ情報の何れかとＣＭＹＫ情報の何れかとの対応位置に露光量を示す値が設定されている。例えば、図４（ａ）の普通紙の露光量情報Ｒ１においては、ドットサイズ情報の「３／３ドット」とＣＭＹＫ情報の「Ｋ」との対応位置に、露光量を示す値の「５．４９（単位は露光時間を示すナノ秒「ｎｓ」）」が設定されている。これらの値は、プリンタ３０のエンジン特性に応じて異なり、また、エンジン調整のタイミングなどに応じて適宜更新される。
【００４４】
次に、プルーフ用画像処理部２７の各処理について詳しく説明する。ここではプルーフ画像データＱの一例として、カラー深度が１ビットで解像度が２４００ｄｐｉである、プロセスカラー「Ｍ」の刷版データを使用する。また、プルーフ画像の出力先のプリンタ３０として、カラー深度が２ビットで解像度が１２００ｄｐｉのプリンタを使用する。
【００４５】
図５は、解像度変換部２７−２における処理の説明図である。図５に示す刷版データｄ１は、マトリックス状の各矩形領域の１つ１つを１画素とし、各画素を画素値に応じて柄分けして示したものである。本例では、刷版データｄ１のカラー深度が１ビットなので、各画素はドットが形成される画素値「１」か、それともドットが形成されない画素値「０」かのどちらかの値をとる。図５に示す刷版データｄ１には、ドットが形成される画素を斜線部で示し、ドットが形成されない画素を空白により示している。
【００４６】
解像度変換部２７−２は、本例では、刷版データｄ１の２４００ｄｐｉからプリンタ３０の１２００ｄｐｉへの低解像度への変換を行う。従って、ここでは、刷版データｄ１の４画素を単位に（つまり「単位画素領域」とし）、４画素の画素値を１画素の比率を示す情報へと変換することにより、１２００ｄｐｉの低解像度データｄ２を得るものを示す。図５に示す矩形枠Ｘ０は、１つの処理単位（４画素からなる単位画素領域）を示したものである。
【００４７】
図５に示す刷版データｄ１には説明のため、４か所に、ドットを形成する画素の画素数の異なるドット形成部をドット形成部Ｅ１〜Ｅ４として設けている。ドット形成部Ｅ１は、処理単位である４画素中の４画素全てをドット形成部として有する。ドット形成部Ｅ２は、３画素をドット形成部として有する。ドット形成部Ｅ３は、２画素をドット形成部として有する。ドット形成部Ｅ４は、１画素をドット形成部として有する。
【００４８】
ここでは、一例として、最大のドットサイズを「１」とし、この「１」をドット形成部の画素数により割った値（画素占有比率）を変換先の１画素の示す座標（画素位置）に設定する。つまり元領域（本例では４画素分の領域）の内のドット形成部の画素値の平均値を１画素に割り当てることにより低解像度化する。図５に示す矢印線Ｘ１は、上記変換先の一例としてドット形成部Ｅ４の変換先である座標Ｅ１４を矢印により表したものである。
【００４９】
この例の場合、ドット形成部Ｅ１は、処理単位である４画素中の４画素全てをドット形成部として有するため、その４画素の変換先の１画素の座標Ｅ１１に「１」を設定する。ドット形成部Ｅ２は、３画素をドット形成部として有するため、ドット形成部Ｅ２を含む４画素の変換先の１画素の座標Ｅ１２に「０．７５」を設定する。ドット形成部Ｅ３は、２画素をドット形成部として有するため、ドット形成部Ｅ３を含む４画素の変換先の１画素の座標Ｅ１３に「０．５０」を設定する。ドット形成部Ｅ４は、１画素をドット形成部として有するため、ドット形成部Ｅ４を含む４画素の変換先の１画素の座標Ｅ１４に「０．２５」を設定する。その他のドット形成部を含まない各４画素については、それぞれの変換先の１画素の座標に「０」を設定する。
【００５０】
図６は、生成部２７−３における処理の説明図である。図６（ａ）に示す露光量情報Ｒ１０は、３種類の用紙の内の普通紙の露光量情報を一例として示したものである。なお、図６（ａ）に示す露光量情報Ｒ１０と図４に示す露光量情報Ｒ１との各露光量の示す値は、経時変化などにより更新されるため異なる値を示している。
【００５１】
ここでは一例として、ＣＭＹＫ各色において最大ドットサイズである３／３ドットの露光量の値の全てが「１」に揃うように、ＣＭＹＫ各色において各ドットサイズの露光量の値を正規化する処理について示す。なお、３／３ドットの露光量の値の全てを「１」に揃えるとしたが、この「１」は、解像度変換部２７−２の変換処理後の低解像度データｄ２の各座標の値と比較ができるようにしたものであり、解像度変換において最大ドットサイズに設定した「１」つまり画素占有比率の上限値に相当する。
【００５２】
生成部２７−３は、ＣＭＹＫ各色ごとに、最大ドットサイズである３／３ドットの露光量の値が画素占有比率の上限値になるような値を、各ドットサイズの露光量の値に掛け合わせる。ここでは、一例として、各ドットサイズの露光量の値を最大ドットサイズである３／３ドットの露光量の値で割り、小数点以下の有効数字までを四捨五入や切り捨てを行うなどして求める。なお、解像度変換後の低解像度データｄ２の各画素の値は小数点２ケタまでであるため、小数点以下の有効数字を２ケタまで求めたものを示す。
【００５３】
例えば、露光量情報Ｒ１０の「Ｍ」色においては、３／３ドットの露光量の値が「０．９０」に設定されている。従って、生成部２７−３は、「Ｍ」色の１／３ドットの露光量の値「０．３０」、「Ｍ」色の２／３ドットの露光量の値「０．６０」、「Ｍ」色の３／３ドットの露光量の値「０．９０」を、それぞれ「Ｍ」色の最大ドットサイズの露光量の値「０．９０」で割り、その値として有効数字までの値を求める。それ以外の色についても同様の手続きにより有効数字までの値を求める。
【００５４】
その他の一例として、露光量情報Ｒ１０の「Ｙ」色においては、３／３ドットの露光量の値が「０．８０」に設定されている。従って、生成部２７−３は、各ドットサイズの露光量の値、つまり「Ｙ」色の１／３ドットの露光量の値「０．２０」、「Ｙ」色の２／３ドットの露光量の値「０．５０」、「Ｙ」色の３／３ドットの露光量の値「０．８０」を、それぞれ「Ｙ」色の最大ドットサイズの露光量の値「０．８０」で割り、その値として有効数字までを求める。
【００５５】
図６（ｂ）に示す露光量情報Ｒ１００は、図６（ａ）の露光量情報Ｒ１０の正規化後の露光量情報を示したものである。露光量情報Ｒ１００に設定されている値から明らかなように、ＣＭＹＫ各色の３／３ドットの露光量の値が全て「１」に変換される。また、この正規化により、ＣＭＹＫ各色の各ドットサイズの露光量の値が最大値を「１」とする比率（「画素占有比率」と比較可能なもの）に変換され、ＣＭＹＫ各色ごとの、ドットサイズについての変換パラメータとしての使用が可能になる。
【００５６】
図７は、ドットサイズ決定部２７−４における処理の説明図である。図７には、ドットサイズ決定部２７−４により決定されるドットサイズの決定前後の、低解像度データｄ２の各画素を示す座標の設定値の状態を示している。
【００５７】
ドットサイズ決定部２７−４は、低解像度データｄ２の各画素を示す座標毎に、設定値と、正規化後の露光量情報Ｒ１００（図６（ｂ）参照）の該当色の変換パラメータとを比較することにより、各座標のドットサイズを決定する。
【００５８】
ここでは「Ｍ」色の刷版データを一例にしているため、ドットサイズ決定部２７−４は、露光量情報Ｒ１００の「Ｍ」色の変換パラメータと比較し、変換パラメータの、各ドットサイズにおける設定値を基準に、例えば次のような条件でドットサイズを決定する。「Ｍ」色については値が０〜０．３２までのものをドット無しのものと決定し、値が０．３３〜１．００までのものについては値がより近い方のドットサイズを決定する。ここで、０〜０．３２までのものをドット無しとしたが、これは、０〜０．３２までの範囲のものはプリンタ３０の最小ドットサイズ以下となり、最小ドットサイズ以下をドットのサイズにより表現できないためである。なお、ここに示す条件は一例であるため、適宜変形しても良い。例えば、値が「１」の画素のみを３／３ドットのものと決定するなど、一部に範囲を有さないものを含むように変形しても良い。
【００５９】
図７に示す変換画像データｄ３は、ドットサイズ決定部２７−４により決定されたドットサイズにより対応画素が階調表現された画像データである。低解像度データｄ２と変換画像データｄ３との対応関係は次の通りとなる。低解像度データｄ２の座標Ｅ１１は値が「１」であるため、変換画像データｄ３の対応画素Ｅ２１に３／３ドットを示す階調情報が設定される。
【００６０】
また、低解像度データｄ２の画素値Ｅ１２は値が「０．７５」であるため、変換画像データｄ３の対応画素Ｅ２２に２／３ドットを示す階調情報が設定される。
【００６１】
また、低解像度データｄ２の画素値Ｅ１３は値が「０．５０」であるため、変換画像データｄ３の対応画素Ｅ２３に２／３ドットを示す階調情報が設定される。
【００６２】
また、低解像度データｄ２の画素値Ｅ１４は値が「０．２５」であるため、変換画像データｄ３の対応画素Ｅ２４にドット無しを示す階調情報が設定される。
【００６３】
なお、変換画像データｄ３のその他の画素については、低解像度データｄ２の画素値が「０」であるため、ドット無しを示す階調情報が設定される。
【００６４】
次に、画像生成システム１の処理について説明する。先ず、ＤＦＥ２０がプリンタ３０から露光量情報Ｒ（図１参照）を受信する処理について説明する。プリンタ３０は、プリンタ起動時や、大量印刷後や、電源が入ったまま長時間放置した後や、ユーザが手動で調整を指示した際にエンジン調整を行い、露光量を調節する。
【００６５】
図８は、プリンタ３０が行うエンジン調整とＤＦＥ２０における露光量情報Ｒの更新処理の関係を示すシーケンスの一例を示す図である。プリンタ３０は、先ず、エンジン調整処理を実行して最適な露光量を決定する（Ｓ１）。具体的に、プリンタ３０は、作像に関わる露光量を各瞬間の最適解に調整しながら目標の濃度特性に近づけ、目標の濃度特性になったときの露光量を、その後に使用する露光量の値として保存する。プリンタ３０は、露光量の値を、用紙の種類別、ＣＭＹＫの色別、ドットサイズ別に決定する。
【００６６】
そして、プリンタ３０は、用紙の種類別、ＣＭＹＫの色別、ドットサイズ別に決定した露光量の値、つまり露光量情報ＲをＤＦＥ２０へ送信する（Ｓ２）。プリンタ３０は、このようなステップＳ２の送信処理を、エンジン調整処理の実行の度に行う。
【００６７】
ＤＦＥ２０は、プリンタ３０から露光量情報Ｒを受信すると、ＨＤＤ２０３の露光量情報Ｒを、受信した露光量情報Ｒにより更新する（Ｓ３）。
【００６８】
図９は、ＤＦＥ２０のＣＰＵ２００が実行するプルーフ印刷に適した画像処理フローの一例を示す図である。先ず、ＣＰＵ２００（露光量情報更新指示部２７−１）は、第２の通信制御部２２から、プリンタ３０から送信された最新の露光量情報Ｒ（図３参照）を取得し、ＨＤＤ２０３の露光量情報Ｒ（図３参照）への更新を記憶制御部２３に指示する（Ｓ１０）。
【００６９】
続いて、ＣＰＵ２００（画像判定部２６）は、第１の通信制御部２１からプリント指示のあった画像データを取得し、その画像データが通常の印刷用の画像データＰ（図３参照）かプルーフ画像データＱ（図３参照）かを判定する（Ｓ１１）。
【００７０】
以下、プルーフ印刷用である場合の処理について説明する。先ず、ＣＰＵ２００（解像度変換部２７−２）は、プルーフ画像データＱをプリンタ３０の出力解像度に変換する（Ｓ１２）。
【００７１】
続いて、ＣＰＵ２００（露光量情報読出指示部２７−３Ａ）は、ＨＤＤ２０３に格納されている最新の露光量情報Ｒを記憶制御部２３に指示して取得する（Ｓ１３）。
【００７２】
続いて、ＣＰＵ２００（露光量比率情報生成部２７−３Ｂ）は、ステップＳ１３で取得された露光量情報Ｒを正規化する（Ｓ１４）。
【００７３】
続いてＣＰＵ２００（ドットサイズ決定部２７−４）は、解像度変換後のプルーフ画像データの各画素位置の示す値と、正規化後の露光量情報が示す変換パラメータとを比較して、解像度変換後のプルーフ画像データの各画素位置のドットサイズを決定する（Ｓ１５）。
【００７４】
そして、ＣＰＵ２００（印刷データ送信指示部２９）は、プリンタ３０への印刷データＴ（図３参照）の送信を第２の通信制御部２２に指示する（Ｓ１６）。印刷データＴは、ステップＳ１５までの画像処理により生成された画像データをデータ部に格納し、印刷設定等のヘッダー情報等を付加したものである。
【００７５】
第１の実施の形態において、主に第２の通信Ｉ／Ｆ２０６及び第２の通信制御部２２が「受信手段」に相当する。また、主に露光量情報更新指示部２７−１、記憶制御部２３、及びＨＤＤ２０３が「記憶手段」に相当する。また、主に第１の通信Ｉ／Ｆ２０５、第１の通信制御部２１、及び画像判定部２６が「受付手段」に相当する。また、主に解像度変換部２７−２が「解像度変換手段」に相当する。また、主に生成部２７−３が「生成手段」に相当する。また、主にドットサイズ決定部２７−４が「ドットサイズ決定手段」に相当する。また、主に印刷データ送信指示部２９、第２の通信制御部２２、及び第２の通信Ｉ／Ｆ２０６が「送信手段」に相当する。また、主に画像判定部２６が「判定手段」に相当する。また、主に通常画像処理部２８が「通常画像処理手段」に相当する。
【００７６】
なお、第１の実施の形態では、プリンタ３０によりエンジン調整の度に送信される露光量情報ＲをＤＦＥ２０側で受信するシステム構成について示したが、ＤＦＥ２０がプルーフ画像データＱの画像処理を行う際にプリンタ３０から最新の露光量情報を取得するシステム構成に変形しても良い。
【００７７】
（第２の実施の形態）
図１０は、第２の実施の形態に係る画像形成装置を含む画像生成システムの全体構成の一例を示す図である。図１０に示す画像生成システム２は、コンピュータ１０と、「画像形成装置」としてのＭＦＰ（MultiFunction  Peripheral）４０とを有する。本実施の形態では、コンピュータ１０とＭＦＰ４０は、ＬＡＮ（Local  Area  Network）やＶＰＮ（Virtual  Private  Network）などのネットワークを介して接続されるものとする。コンピュータ１０は、ＭＦＰ４０とネットワークを介して通信を行うこと以外、第１の実施の形態に示すものと同様である。従って、以下ではＭＦＰ４０の構成などについて詳しく説明する。
【００７８】
ＭＦＰ４０は、第１の実施の形態に示すＤＦＥ２０（図３参照）の機能を搭載したＭＦＰである。
【００７９】
図１１は、ＭＦＰ４０のハードウエアブロックの一例を示す図である。図１１に示すＭＦＰ４０は、ＣＰＵ４００と、ＡＳＩＣ（Application  Specific  Integrated  Circuit）４０１と、ＲＯＭ４０２ａとＲＡＭ４０２ｂを含むシステムメモリ４０２と、ＳＤメモリカードスロット４０３ａとＵＳＢインタフェース４０３ｂとネットワークインタフェース４０３ｃとを含むインタフェース４０３と、補助記憶装置４０４と、タッチ表示ディスプレイ４０５と、エンジン４０６と、スキャナ４０７と、を有する。
【００８０】
ＣＰＵ４００は、ＲＡＭ４０２ｂの所定領域を作業領域として、ＲＯＭ４０２ａまたは補助記憶装置４０４に予め記憶された各種制御プログラムとの協働により各種処理を実行し、ＭＦＰ４０全体の動作を統括的に制御する。
【００８１】
ＡＳＩＣ４０１は、画像処理用のハードウエア要素を有する画像処理用途向けのＩＣ（Integrated  Circuit）であり、ＣＰＵ４００と各部を夫々接続するブリッジとしての機能を有する。
【００８２】
ＲＯＭ４０２ａは、固定プログラムや固定データを格納する読み出し専用メモリである。ＲＡＭ４０２ｂは、プログラムやデータの展開用あるいはプリンタの描画用などに用いられる、書き込みと読み出しとが自在な揮発性メモリである。
【００８３】
インタフェース４０３は、自装置と外部デバイスとを着脱可能に接続するインタフェースである。図１１に一例として示すＳＤメモリカードスロット４０３ａは、外部記憶装置としてのＳＤ（登録商標）メモリカードを着脱可能に接続する。ＵＳＢインタフェース４０３ｂは、外部記憶装置としてのＵＳＢフラッシュメモリを着脱可能に接続する。
【００８４】
また、インタフェース４０３は、自装置をネットワークに接続するためのインタフェースを含む。図４に示すネットワークインタフェース４０３ｃは、ネットワークカードなどであり、自装置をネットワークに接続する。
【００８５】
なお、本実施形態では、外部記憶装置としてＳＤメモリカードやＵＳＢフラッシュメモリなどを例示しているが、外部記憶装置をこれらに限定するものではない。
【００８６】
補助記憶装置４０４は、磁気的、電気的、または光学的に書き込みや読出しを行う記憶媒体を有する。例えば磁気記録媒体を有するものとしてＨＤＤなどがある。補助記憶装置４０４は、ＭＦＰ４０の各種制御にかかるプログラム（プルーフ印刷に適した画像処理に係るプログラムを含む）や機器能力情報等の設定情報を書き換え可能に記憶する。また、補助記憶装置４０４は、スキャナ４０７が入力した画像データや、インタフェース４０３を介して入力された画像データ等を記憶する。
【００８７】
タッチ表示ディスプレイ４０５は、ユーザがＭＦＰ４０を対話形式で操作するためのインタフェースであり、液晶等の表示デバイスと、タッチパネルやキースイッチ群などを有する入力デバイスとから構成される。タッチ表示ディスプレイ４０５は、ＣＰＵ４００の制御の下、ＭＦＰ４０の動作や設定等の状態や操作方法などを表示デバイスの画面に表示する。また、タッチ表示ディスプレイ４０５は、タッチパネルやキースイッチ群を介してユーザによる入力を検出すると、その入力情報をＣＰＵ４００に出力する。
【００８８】
エンジン４０６は、プリンタエンジンであり、例えば白黒プロッタ、１ドラムカラープロッタ、４ドラムカラープロッタなどである。なお、当該エンジン４０６には、プロッタなどのいわゆるエンジン部分に加えて、プルーフ画像データの画像処理部分が含まれる。
【００８９】
スキャナ４０７は、ＣＣＤ（Charge  Coupled  Device）光電変換素子からなるラインセンサや、アナログの読取信号をデジタル信号に変換するＡ／Ｄコンバータや、それらの駆動回路などを有する。
【００９０】
次に、ＭＦＰ４０の機能構成について説明する。ＭＦＰ４０は、ＣＰＵ４００がＲＯＭ４０２ａや補助記憶装置４０４などの各種のプログラムをＲＡＭ４０２ｂにロードして実行することにより、各種の機能を発揮する。
【００９１】
図１２は、ＭＦＰ４０の主な機能の一例を示した機能ブロック図である。図１２に示すＭＦＰ４０は、画像処理に係る機能部として、通信制御部４１や、記憶制御部４２や、操作受付部４３や、表示制御部４４や、エンジン調整部４５や、画像判定部４６や、プルーフ用画像処理部４７や、通常画像処理部４８や、印刷実行部４９などを有する。
【００９２】
通信制御部４１は、ネットワークインタフェース２２３ｃを介してコンピュータ１０と通信を行い、コンピュータ１０から送信される各種の画像データを受け付ける。
【００９３】
記憶制御部４２は、ＲＯＭ４０２ａや、ＲＡＭ４０２ｂや、補助記憶装置４０４などにアクセスし、アクセスエリアに応じてプログラムやデータなどの書き込みや読み出しを指示する。
【００９４】
操作受付部４３は、タッチ表示ディスプレイ４０５のタッチパネルやキースイッチ群などからの操作信号（キー信号等）を受け付ける。
【００９５】
表示制御部４４は、タッチ表示ディスプレイ４０５の表示デバイスの表示を制御する。
【００９６】
エンジン調整部４５は、エンジン４０６の作像に関わる露光量を各瞬間の最適解に調整しながら目標の濃度特性に近づけ、目標の濃度特性になったときの露光量を、直近に調節した露光量の値として補助記憶装置４０４に保存する。
【００９７】
画像判定部４６は、通信制御部４１が受け付けた画像データが通常の印刷用の画像データＰかプルーフ印刷用のプルーフ画像データＱかを判定する。
【００９８】
プルーフ用画像処理部４７は、解像度変換部４７−１と、生成部４７−２と、ドットサイズ決定部４７−３とを有する。解像度変換部４７−１は、プルーフ画像データＱを本装置の出力解像度に変換する。
【００９９】
生成部４７−２は、補助記憶装置４０４の、直近に調節された露光量の値によって更新された露光量情報Ｒを、正規化する。なお、正規化の方法は、第１の実施の形態と同様であるため説明を省略する。
【０１００】
ドットサイズ決定部４７−３は、解像度変換後のプルーフ画像データの各画素位置のドットサイズを決定する。なお、ドットサイズの決定方法は、第１の実施の形態と同様であるため説明を省略する。
【０１０１】
通常画像処理部４８は、通常画像処理部２８（図３参照）に相当し、通信制御部４１が受信した画像データＰに対して既存の画像処理を行う。これ以上の説明は、第１の実施の形態の説明の繰り返しになるので、省略する。
【０１０２】
印刷実行部４９は、エンジン４０６を制御して印刷データＴの印刷を実行する。
【０１０３】
図１３は、ＭＦＰ４０のＣＰＵ４００が実行するプルーフ印刷に適した画像処理フローの一例を示す図である。先ず、ＣＰＵ４００（エンジン調整部４５）は、所定のタイミングでエンジン調整処理を実行し、実行により得られた最新の露光量情報Ｒによる補助記憶装置４０４の露光量情報Ｒの更新を記憶制御部４２に指示する（Ｓ２０）。
【０１０４】
続くステップＳ２１からステップＳ２５までの処理は、第１の実施の形態に示すＤＦＥ２０におけるステップＳ１１（図９参照）〜ステップＳ１５（図９参照）までの処理に対応するので、ここでの説明を省略する。
【０１０５】
ステップＳ２５に続き、ＣＰＵ４００（印刷実行部４９）は、エンジン４０６を制御して印刷データＴの印刷を実行する（Ｓ２６）。
【０１０６】
第２の実施の形態において、主にエンジン調整部４５が「調節手段」に相当する。主に印刷実行部４９及びエンジン４０６が「画像形成手段」に相当する。
【０１０７】
各実施の形態に示した機能部の一部又は全てを、ＡＳＩＣなどのハードウエアにより構成しても良い。
【０１０８】
各実施の形態では、２４００ｄｐｉから１２００ｄｐｉに解像度変換するものを例としたため、解像度変換の変換元の処理単位（単位画素領域）を４画素にしたが、この処理単位は、プルーフ画像データの解像度とプリンタやＭＦＰの出力解像度に応じて適宜変形しても良い。
【０１０９】
また、一例として、プリンタやＭＦＰのカラー深度を２ビットにし、１／３ドット、２／３ドット、及び３／３ドットの、３種類のドットサイズを示したが、ドットサイズの種類はプリンタやＭＦＰのカラー深度に応じて適宜増加させても減少させても良い。
【０１１０】
以上により、各実施の形態及び各変形例では、出力環境や経時変動などにより調節された露光量の設定に基づいてプルーフ画像データの各網点のドットサイズを調節することができる。このため、出力環境や経時変動などにより調節される露光量の設定が反映されるようになり、色合いなどの再現性やハイライト領域の画質の安定性などの高いプルーフ印刷物が得られるという効果を奏する。
【０１１１】
また、用紙種に応じた露光量情報を利用することにより、プリンタやＭＦＰ側の出力用紙種によって異なる定着条件にも対応することが可能になる。
【０１１２】
また、解像度変換の際に画素値ではなく、画素占有比率の数値に置き換えることにより、任意の解像度のプルーフ画像データに対して変換パラメータを適用することが可能になる。
【０１１３】
各実施の形態及び各変形例で実行されるプログラムは、ＲＯＭやＨＤＤなどのメモリ部に予め組み込まれて提供するものとしているが、これに限定されるものではない。各実施の形態及び各変形例で実行されるプログラムを、ＤＦＥやＭＦＰなどのコンピュータで読み取り可能な記録媒体に記録してコンピュータプログラムプロダクトとして提供してもよい。例えば、インストール可能な形式または実行可能な形式のファイルで、フレキシブルディスク、ＣＤ−Ｒ、ＤＶＤ（Digital  Versatile  Disk）、ブルーレイディスク（登録商標）、半導体メモリ等の記録媒体に記録して提供してもよい。
【０１１４】
また、各実施の形態及び各変形例で実行されるプログラムを、インターネット等のネットワークに接続されたコンピュータ上に格納し、ネットワーク経由でダウンロードさせることにより提供するように構成してもよい。また、各実施の形態及び各変形例で実行されるプログラムをインターネット等のネットワーク経由で提供または配布するように構成してもよい。
【符号の説明】
【０１１５】
２０        ＤＦＥ
２１        第１の通信制御部
２２        第２の通信制御部
２３        記憶制御部
２４        操作受付部
２５        表示制御部
２６        画像判定部
２７        プルーフ用画像処理部
２７−１    露光量情報更新指示部
２７−２    解像度変換部
２７−３    生成部
２７−３Ａ  露光量情報読出指示部
２７−３Ｂ  露光量比率情報生成部
２７−４    ドットサイズ決定部
２８        通常画像処理部
２８−１    色変換処理部
２８−２    総量規制部
２８−３    ガンマ変換部
２８−４    中間調処理部
２９        印刷データ送信指示部
Ｐ          画像データ
Ｑ          プルーフ画像データ
Ｒ          露光量情報
Ｔ          印刷データ
【先行技術文献】
【特許文献】
【０１１６】
【特許文献１】特開２００６−０３０２７７号公報
【図１】
2018019247.tif 000003
【図２】
2018019247.tif 000004
【図３】
2018019247.tif 000005
【図４】
2018019247.tif 000006
【図５】
2018019247.tif 000007
【図６】
2018019247.tif 000008
【図７】
2018019247.tif 000009
【図８】
2018019247.tif 000010
【図９】
2018019247.tif 000011
【図１０】
2018019247.tif 000012
【図１１】
2018019247.tif 000013
【図１２】
2018019247.tif 000014
【図１３】
2018019247.tif 000015